(57)【要約】【課題】剛性が大きくて別途の補強部材を使用する必要がなく、放熱性能やノイズ低減性能にすぐれたディスプレイモジュールを提供する。【解決手段】ディスプレイパネル、ディスプレイパネルを駆動する駆動回路基板、及びディスプレイパネルと駆動回路基板とを支持するシャーシベースを備えるディスプレイモジュールであって、シャーシベースには、所定の幅のドローイング部が形成されており、ドローイング部の上面には、突起が設置され、突起の上部には、駆動回路基板が設置されたディスプレイモジュールである。【選択図】図３
2006201767.tif 000002
【特許請求の範囲】
【請求項１】
ディスプレイパネル、前記ディスプレイパネルを駆動する駆動回路基板、及び前記ディスプレイパネルと駆動回路基板とを支持するシャーシベースを備えるディスプレイモジュールであって、
前記シャーシベースには、所定の幅のドローイング部が形成されており、
前記ドローイング部の上面には、突起が設置され、前記突起の上部には、駆動回路基板が設置されていることを特徴とするディスプレイモジュール。
【請求項２】
前記ディスプレイパネルと前記シャーシベースとの間には、所定の面積を有する放熱シート及び両面テープが位置し、
前記ドローイング部と前記ディスプレイパネルとの間に形成される空間には、吸音材が設置されていることを特徴とする請求項１に記載のディスプレイモジュール。
【請求項３】
前記ディスプレイパネルと前記シャーシベースとの間には、放熱シート及び両面テープが位置し、
前記ドローイング部と前記ディスプレイパネルとの間に形成される空間には、熱伝導媒体が設置されていることを特徴とする請求項１に記載のディスプレイモジュール。
【請求項４】
前記ディスプレイパネルと前記シャーシベースとの間には、放熱シート及び両面テープが位置し、
前記ドローイング部と前記ディスプレイパネルとの間に形成される空間には、熱伝導媒体及び吸音材がいずれも設置されていることを特徴とする請求項１に記載のディスプレイモジュール。
【請求項５】
前記熱伝導媒体は、黒鉛、シリコン、アクリル、ウレタンを含む熱伝導性の良い材料のグループから選択された材料により形成されていることを特徴とする請求項３または請求項４に記載のディスプレイモジュール。
【請求項６】
前記吸音材は、発泡ポリスチレン、スポンジ、石綿を含む多孔性素材のグループから選択された材料により形成されていることを特徴とする請求項２または請求項４に記載のディスプレイモジュール。
【請求項７】
前記ディスプレイモジュールは、プラズマディスプレイ装置用のディスプレイモジュールであることを特徴とする請求項１に記載のディスプレイモジュール。
【発明の詳細な説明】
【技術分野】
【０００１】
本発明は、ディスプレイモジュールに係り、特に剛性が補強され、放熱性能及びノイズ低減性能が向上したディスプレイモジュールに関する。
【背景技術】
【０００２】
図１は、通常のディスプレイモジュールの構成を説明するための例であって、プラズマディスプレイ装置のディスプレイモジュールの斜視図であり、図２は、図１のＩＩ−ＩＩ線の断面図である。
【０００３】
図１及び図２に示すように、通常のディスプレイモジュールは、ディスプレイパネル５０、前記ディスプレイパネル５０と連結ケーブル２０を通じて電気的に連結されて、それを駆動する駆動回路基板４０、及び前記ディスプレイパネル５０と前記駆動回路基板４０とを支持するシャーシベース１１を備える。
【０００４】
通常、前記ディスプレイパネル５０は、前記シャーシベース１１の前面に付着され、特にプラズマディスプレイパネル（ＰＤＰ）である場合、前面パネル５１と背面パネル５２とが結合されてなる。前記駆動回路基板４０は、前記シャーシベース１１の背面に付着され、前記シャーシベース１１は、前記ディスプレイパネル５０と前記駆動回路基板４０とを、外部の衝撃や自重による変形から保護する機能を有する。前記シャーシベース１１の剛性を補強するために、シャーシベース１１の背面上部及び／または下部の、駆動回路基板４０が配置されていない領域に、別途の補強部材１２が設置される。
【０００５】
通常、ディスプレイパネル及び駆動回路基板からは、作動中に多くの熱とノイズとが発生する。また、このような熱とノイズとによる振動は、ディスプレイパネルと駆動回路基板との間を、ディスプレイパネルと駆動回路基板とを支持するシャーシベースを通じて伝達され、互いに影響を及ぼす。
【０００６】
特に、作動中に発生する熱を放出できない場合には、回路素子の破損の恐れがあり、ノイズ及びそれによる振動は、ユーザーに不快感を与えたり、ハンダ付け部位の接着力を低下させたりするという問題が大きい。したがって、このような熱とノイズとによる影響を中間のシャーシベースで適切に緩和させることができる方案が必要である。
【発明の開示】
【発明が解決しようとする課題】
【０００７】
本発明は前記のような問題点を解決するためのものであって、本発明の目的は、シャーシベースの剛性を補強するために別途の補強部材を設ける必要がないシャーシベースを備えるディスプレイモジュールを提供するところにある。また、本発明の他の目的は、放熱性能及びノイズ低減性能にすぐれたディスプレイモジュールを提供するところにある。
【課題を解決するための手段】
【０００８】
前記の目的は、ディスプレイパネル、前記ディスプレイパネルを駆動する駆動回路基板、及び前記ディスプレイパネルと駆動回路基板とを支持するシャーシベースを備えるディスプレイモジュールであって、前記シャーシベースには所定の幅のドローイング部が形成され、前記ドローイング部の上面には突起が設置され、前記突起の上部には駆動回路基板が設置されたディスプレイモジュールを提供することによって達成される。
【０００９】
ここで、前記ディスプレイパネルと前記シャーシベースとの間には、所定の面積を有する放熱シート及び両面テープが位置し、前記ドローイング部と前記ディスプレイパネルとの間に形成される空間には、吸音材が設置されていることが望ましい。
【００１０】
ここで、前記ディスプレイパネルと前記シャーシベースとの間には、放熱シート及び両面テープが位置し、前記ドローイング部と前記ディスプレイパネルとの間に形成される空間には、熱伝導媒体が設置されていることが望ましい。
【００１１】
ここで、前記ディスプレイパネルと前記シャーシベースとの間には、放熱シート及び両面テープが位置し、前記ドローイング部と前記ディスプレイパネルとの間に形成される空間には、熱伝導媒体及び吸音材がいずれも設置されていることが望ましい。
【００１２】
ここで、前記熱伝導媒体は、黒鉛、シリコン、アクリル、ウレタンを含む熱伝導性の良い材料のグループから選択される材料により形成されていることが望ましい。
【００１３】
また、ここで、前記吸音材は、発泡ポリスチレン、スポンジ、石綿を含む多孔性素材のグループから選択される材料により形成されていることが望ましい。
【００１４】
ここで、前記ディスプレイモジュールは、それがプラズマディスプレイ装置用のディスプレイモジュールである場合、ＰＤＰ及び駆動回路基板が作動中に発生させるノイズ及び熱に対する吸音効果及び放熱効果がさらに大きい。
【発明の効果】
【００１５】
本発明によれば、ディスプレイモジュールを構成するシャーシベースの剛性を補強し、かつディスプレイパネル及び駆動回路基板の作動中に発生する熱とノイズとを適切に放出、遮断できる。
【発明を実施するための最良の形態】
【００１６】
以下、添付された図面を参照して、本発明の実施形態を詳細に説明する。
【００１７】
図３は、本発明によるディスプレイモジュールの部分断面図である。
【００１８】
図３に示すように、本発明によるディスプレイモジュールは、ディスプレイパネル５０、駆動回路基板４０及びシャーシベース１１１を備える。
【００１９】
前記ディスプレイパネル５０は、前面基板５１と背面基板５２とが接合されてなるＰＤＰであり、両面テープ５４により前記シャーシベース１１１に固定される。
【００２０】
前記駆動回路基板４０は、前記ディスプレイパネル５０を駆動する複数の回路素子を備えるものであって、通常の印刷回路基板である。前記駆動回路基板４０は、前記シャーシベース１１１に設置される突起４１及びスクリュー４２で結合されることによって、前記シャーシベース１１１の背面に固定される。
【００２１】
前記シャーシベース１１１は、板状をなし、前記ディスプレイパネル５０及び前記駆動回路基板４０を支持する機能を有する。特に、前記シャーシベース１１１は、ディスプレイ装置全体の重量が減少傾向にあることを反映して、その厚さを薄く形成することが望ましい。しかし、大型化の傾向にあるディスプレイパネル５０、及びそれを駆動する駆動回路基板４０を支持するためには、十分な剛性が必要である。これにより、図３に示すように、一方向に長い所定の幅を有するドローイング部１１１ａをシャーシベース１１１に形成して、シャーシベース１１１の剛性を補強できる。なお、本発明において、ドローイング部とは、シャーシベース等の平面上の隆起した部分であって、その下面が凹部をなす部分を表す概念である。また、シャーシベース１１１の端部にもドローイング部を形成して、シャーシベース１１１の剛性を補強できる。
【００２２】
前記突起４１は、前記ドローイング部１１１ａに設置されるため、前記ドローイング部１１１ａの底面から前記突起のヘッド部分が突出しても、前記ディスプレイパネル５０と干渉を起さない。また、前記ディスプレイパネル５０と前記シャーシベース１１１との間には、放熱シート５３がさらに備えられることができるが、この放熱シート５３との干渉も避けることができる。
【００２３】
図４は、本発明によるディスプレイモジュールの他の実施形態の部分断面図である。
【００２４】
図４に示すように、前記ディスプレイパネル５０と、前記シャーシベース１１１または放熱シート５３とにより形成される空間１１１ｂ（図３）には、熱伝導媒体２００が設置されうる。前記ディスプレイパネル５０及び前記駆動回路基板４０は、作動中に熱を発生させ、特に前記ディスプレイパネル５０がＰＤＰである場合には、作動中に発生する熱が非常に多い。また、前記ディスプレイパネル５０及び前記駆動回路基板４０から発生する熱は、その間のシャーシベース１１１側に相当量が伝達される。前記空間１１１ｂに熱伝導媒体２００を挿入する場合には、このような熱をシャーシベース１１１の両端部側に円滑に放出する構造を具現できる。
【００２５】
前記熱伝導媒体２００は、黒鉛、シリコン、アクリル、ウレタンなどの熱伝導性の良い材料により形成され、伝導性をさらに向上させるために、フェライト系の超微粒子または導電性フィラーが混合されて形成されることもある。ただし、熱伝導媒体２００の素材は、前記に限定されるものではない。
【００２６】
また、前記ディスプレイパネル５０と、前記シャーシベース１１１または放熱シート５３とにより形成される空間１１１ｂには、吸音材３００が設置されうる。前記ディスプレイパネル５０及び前記駆動回路基板４０は、作動中にノイズを発生させ、特に前記ディスプレイパネル５０がＰＤＰである場合には、プラズマ放電により発生するノイズが非常に多い。また、前記ディスプレイパネル５０及び前記駆動回路基板４０から発生するノイズは、その間のシャーシベース１１１側に振動として相当量が伝達される。前記空間１１１ｂに吸音材３００を挿入する場合には、ノイズと振動とが前記シャーシベース１１１でぶつかって増幅したり、共振したりする現象を防止でき、それ以上の伝達を遮断できるので非常に望ましい。
【００２７】
前記吸音材３００としては、発泡ポリスチレン、スポンジ、石綿のような多孔性素材が望ましい。ただし、前記吸音材３００の素材は、前記に限定されるものではない。
【００２８】
また、前記ドローイング部１１１ａと、前記放熱シート５３またはディスプレイパネル５０とにより形成される空間１１１ｂには、熱伝導媒体及び吸音材から構成された複合材料（図示せず）が設置されることもある。この場合、放熱性能及びノイズ低減性能をいずれも向上できる。前記複合材料は、前記ドローイング部１１１ａにおいて、シャーシベースと平行な面で熱伝導媒体と吸音材とが接して設置された形態であってもよく、シャーシベースと垂直な面で熱伝導媒体と吸音材とが接して設置された形態であってもよい。
【００２９】
本発明は、図面に示した実施形態を参考に説明されたが、これは、例示に過ぎず、当業者であれば、これから多様な変形及び均等な他の実施形態が可能であると理解される。したがって、本発明の真の技術的範囲は、特許請求の範囲に示された技術的思想により決められなければならない。
【産業上の利用可能性】
【００３０】
本発明は、ディスプレイ装置を構成するディスプレイモジュールに関連の技術分野に適用可能である。
【図面の簡単な説明】
【００３１】
【図１】通常のディスプレイモジュールの構成を説明するための一例であって、プラズマディスプレイ装置のディスプレイモジュールの斜視図である。
【図２】図１のＩＩ−ＩＩ線の断面図である。
【図３】本発明によるディスプレイモジュールの構成を示す断面図である。
【図４】本発明による他の実施形態のディスプレイモジュールの構成を示す断面図である。
【符号の説明】
【００３２】
４０    駆動回路基板、
４１    突起、
４２    スクリュー、
５０    ディスプレイパネル、
５１    前面基板、
５２    背面基板、
５３    放熱シート、
５４    両面テープ、
１１１    シャーシベース、
１１１ａ    ドローイング部、
１１１ｂ    空間。
【図１】
2006201767.tif 000003
【図２】
2006201767.tif 000004
【図３】
2006201767.tif 000005
【図４】
2006201767.tif 000006